(57)【特許請求の範囲】
【請求項１】
エレベーターの昇降路内に配置された作業床と、
下端部が乗場の床に固定された第１の縦柱と、
下端部が前記乗場の床に固定され、前記第１の縦柱の上端部側にかかる前記作業床の荷重を前記乗場の床で支持するための斜め支持梁と、
を備えたエレベーターの据付作業床装置。
【請求項２】
下端部が前記乗場の床に固定された第２の縦柱と、
前記第１の縦柱及び前記第２の縦柱に固定された横梁と、
を備え、
前記斜め支持梁は、下端部が前記第１の縦柱よりも前記昇降路から離れた位置で前記乗場の床に固定され、上端部が前記第２の縦柱に固定された請求項１に記載のエレベーターの据付作業床装置。
【請求項３】
前記乗場の床に固定された第１の基礎固定金と、
前記第１の基礎固定金よりも前記昇降路から離れた位置で前記乗場の床に固定された第２の基礎固定金と、
下端部が前記第１の基礎固定金に固定され、上端部が前記作業床に固定された支持材と、
を備え、
前記第１の縦柱は、下端部が前記第１の基礎固定金を介して前記乗場の床に固定され、
前記第２の縦柱は、下端部が前記第１の基礎固定金を介して前記乗場の床に固定され、
前記斜め支持梁は、下端部が前記第２の基礎固定金を介して前記乗場の床に固定された請求項２に記載のエレベーターの据付作業床装置。
【請求項４】
下端部が前記第１の縦柱の下端部に固定され、上端部が昇降路内に位置するように傾斜して設けられた梯子と、
上端部が前記第１の縦柱に固定され、下端部が前記梯子の上端部及び前記作業床に固定された斜材と、
を備え、
前記第１の縦柱は、前記第１の基礎固定金の端部から前記第２の縦柱よりも離れた位置で固定されている請求項３に記載のエレベーターの据付作業床装置。
【請求項５】
前記第１の縦柱及び前記第２の縦柱は、前記昇降路と前記乗場との境界となる面から同一距離に配置された請求項２から４のいずれか１項に記載のエレベーターの据付作業床装置。
【発明の詳細な説明】
【技術分野】
【０００１】
本発明は、エレベーターの据付作業床装置に関するものである。
【背景技術】
【０００２】
下記特許文献１には、エレベーターの据付作業床装置が記載されている。この据付作業床装置は、昇降路内に配置される作業床を支持するための縦柱を備えている。縦柱の下端部は、乗場の床に固定される。縦柱の上端部は、乗場の壁に固定される。
【先行技術文献】
【特許文献】
【０００３】
【特許文献１】特開２００５−８９１４８号公報
【発明の概要】
【発明が解決しようとする課題】
【０００４】
特許文献１に記載のエレベーターの据付作業床装置は、縦柱の上端部にかかる荷重を乗場の壁で支持できない場合には設置することができない。
【０００５】
本発明は、上記の課題を解決するためになされた。その目的は、乗場の壁で作業床の荷重を支持することなく設置可能なエレベーターの据付作業床装置を提供することである。
【課題を解決するための手段】
【０００６】
本発明に係るエレベーターの据付作業床装置は、エレベーターの昇降路内に配置された作業床と、下端部が乗場の床に固定された第１の縦柱と、下端部が乗場の床に固定され、第１の縦柱の上端部側にかかる作業床の荷重を乗場の床で支持するための斜め支持梁と、を備えたものである。
【発明の効果】
【０００７】
本発明によれば、乗場の壁で作業床の荷重を支持することなくエレベーターの据付作業床装置を設置することができる。
【図面の簡単な説明】
【０００８】
【図１】本発明の実施の形態１におけるエレベーターの据付作業床装置１の設置状態を示す側面図である。
【図２】本発明の実施の形態１におけるエレベーターの据付作業床装置１の斜視図である。
【図３】本発明の実施の形態１における第１の基礎固定金７周辺の水平断面図である。
【図４】従来のエレベーターの据付作業床装置の設置状態を示す側面図である。
【図５】従来のエレベーターの据付作業床装置の設置状態の別の例を示す側面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、本実施の形態におけるエレベーターの据付作業床装置１の設置状態を示す側面図である。図１では、一例として、建物の最上階にエレベーターの据付作業床装置１を設置した状態を示している。なお、エレベーターの据付作業床装置１は、「据付作業床装置１」と略称する。
【００１１】
図１に示すように、エレベーターの昇降路２と乗場３との境界には、乗場壁４が設けられている。乗場壁４には、開口部５が形成されている。乗場３は、開口部５を介して昇降路２と通じている。据付作業床装置１は、乗場３の床に固定されている。据付作業床装置１は、作業員が乗るための上部固定作業床６を備えている。上部固定作業床６には、手摺等が設けられている。上部固定作業床６は、昇降路２内に配置されている。
【００１２】
図２は、本実施の形態におけるエレベーターの据付作業床装置１の斜視図である。図２に示すように、据付作業床装置１は、第１の基礎固定金７を備えている。第１の基礎固定金７は、アンカーボルト等により乗場３の床に固定されている。第１の基礎固定金７は、乗場壁４と平行になるように設けられている。第１の基礎固定金７には、２本の第１の縦柱８が固定されている。第１の縦柱８は、その下端部が第１の基礎固定金７に固定されることにより、立った状態で設けられている。第１の縦柱８の下端部は、第１の基礎固定金７の中央部と端部との中間よりも端部寄りの位置に固定されている。第１の縦柱８の上端部には、第１の横梁９が固定されている。第１の横梁９は、２本の第１の縦柱８の間隔と同程度の長さに形成されている。第１の横梁９の両端部は、２本の第１の縦柱８の上端部に固定されている。つまり、第１の横梁９は、２本の第１の縦柱８の上端部を繋ぐように、水平に設けられている。
【００１３】
第１の基礎固定金７には、２本の第２の縦柱１０が固定されている。第２の縦柱１０は、その下端部が第１の基礎固定金７に固定されることにより、立った状態で設けられている。第２の縦柱１０の下端部は、第１の基礎固定金７の端部に固定されている。第２の縦柱１０は、第１の縦柱８よりも短く形成されている。第２の縦柱１０の上端部には、第２の横梁１１が固定されている。第２の横梁１１は、第１の基礎固定金７と同程度の長さに形成されている。第２の横梁１１の両端部は、２本の第２の縦柱１０の上端部に固定されている。つまり、第２の横梁１１は、２本の第２の縦柱１０の上端部を繋ぐように、水平に設けられている。このため、第２の横梁１１は、２本の第１の縦柱８と交差している。第２の横梁１１は、第１の縦柱８と交差する部分で、第１の縦柱８に固定されている。このようにして、２本の第２の縦柱１０及び第２の横梁１１により門型枠が形成されている。
【００１４】
据付作業床装置１は、第２の基礎固定金１２を備えている。第２の基礎固定金１２は、第１の基礎固定金７と同程度の長さに形成されている。第２の基礎固定金１２は、第１の基礎固定金７よりも開口部５から離れた位置で、アンカーボルト等により乗場３の床に固定されている。第２の基礎固定金１２は、第１の基礎固定金７と平行になるように設けられている。第２の基礎固定金１２には、２本の斜め支持梁１３が固定されている。斜め支持梁１３の下端部は、第２の基礎固定金１２に固定されている。斜め支持梁１３の上端部は、第２の縦柱１０の上端部寄りの位置に固定されている。つまり、斜め支持梁１３は、第２の基礎固定金１２と第２の縦柱１０を繋ぐように、傾斜して設けられている。
【００１５】
据付作業床装置１は、梯子１４及び斜材１５を備えている。梯子１４の下端部は、第１の縦柱８の下端部に固定されている。斜材１５の上端部は、第１の縦柱８の上端部寄りの位置に固定されている。なお、斜材１５の上端部は、第２の横梁１１よりも下側の位置に固定されている。斜材１５の下端部は、梯子１４の上端部寄りの位置に固定されている。さらに、梯子１４に固定された斜材１５の下端部は、上部固定作業床６に固定されている。このように、梯子１４及び斜材１５は、第１の縦柱８と上部固定作業床６を繋ぐように、傾斜して設けられている。このため、斜材１５は、下端部が昇降路２内に位置するように設けられている。また、梯子１４は、上端部が昇降路２内に位置するように、乗場３と上部固定作業床６との間に架け渡されている。なお、梯子１４は、横幅が２本の第１の縦柱８の間隔と同程度の長さに形成されている。
【００１６】
据付作業床装置１は、支持材１６を備えている。支持材１６の下端部は、第１の基礎固定金７に固定されている。支持材１６の上端部は、上部固定作業床６に固定されている。このように、支持材１６は、第１の基礎固定金７と上部固定作業床６を繋ぐように、傾斜して設けられている。このため、支持材１６は、上端部が昇降路２内に位置するように設けられている。
【００１７】
図３は、本実施の形態における第１の基礎固定金７周辺の水平断面図である。図３に示すように、第１の縦柱８及び第２の縦柱１０は、同一の垂直な平面に沿うように立って設けられている。また、第１の縦柱８の下端部は、第２の縦柱１０よりも第１の基礎固定金７の端部から離れた位置で固定されている。支持材１６の下端部は、第１の基礎固定金７の長手方向において、第１の縦柱８と同じ位置に固定されている。
【００１８】
図４は、従来のエレベーターの据付作業床装置の設置状態を示す側面図である。図５は、従来のエレベーターの据付作業床装置の設置状態の別の例を示す側面図である。図４では、昇降路２と乗場３との境界に、乗場壁４よりも強度が高い乗場壁１０４が設けられている場合を示している。図４に示す第１の縦柱８の下端部は、第１の基礎固定金７を介して乗場の床に固定されている。図４に示す第１の縦柱８の上端部は、乗場壁１０４にもたれ掛けられるようにして固定されている。このため、従来の据付作業床装置において、上部固定作業床６の荷重の一部は乗場壁１０４により支持される。しかし、昇降路２と乗場３との境界に、上部固定作業床６の荷重に耐えうる強度を持たない乗場壁４が設けられている場合は、従来の据付作業床装置を設置することができない。この場合、従来は、図５に示すように、昇降路２の最下部から枠組み足場１０６を組み立てていた。
【００１９】
上述したとおり、本実施の形態における据付作業床装置１は、第１の基礎固定金７を介して乗場３の床に固定された第１の縦柱８及び第２の縦柱１０を備えている。また、据付作業床装置１は、第１の縦柱８及び第２の縦柱１０に固定された第２の横梁１１を備えている。さらに、据付作業床装置１は、上端部が第２の縦柱１０の上端部寄りの位置に固定され、下端部が第２の基礎固定金１２を介して乗場３の床に固定された斜め支持梁１３を備えている。これにより、第１の縦柱８の上端部側にかかる上部固定作業床６の荷重を、斜め支持梁１３を介して乗場３の床で支持することができる。つまり、本実施の形態によれば、乗場壁４で上部固定作業床６の荷重を支持する必要がない。このため、乗場壁４の強度が低い場合及び開口部５の上方に乗場壁４が存在しない場合等であっても、乗場３に据付作業床装置１を設置することができる。その結果、エレベーターの据付作業を効率化することができる。
【００２０】
上述したとおり、本実施の形態では、第１の縦柱８及び第２の縦柱１０の双方が、第１の基礎固定金７を介して乗場３の床に固定されている。つまり、第１の縦柱８及び第２の縦柱１０を乗場３に固定するための基礎部材として、第１の基礎固定金７を共有化している。また、上部固定作業床６については、従来のものを流用することができる。このため、必要な部品数を削減することができる。さらに、据付作業床装置１が乗場３の床に接地する面積を狭くすることができるため、乗場３の床の段差等の現場状況による設置可否への影響を従来と同等とすることができる。その結果、エレベーターの据付作業を効率化することができる。
【００２１】
上述したとおり、本実施の形態では、第１の基礎固定金７が乗場壁４と平行になるように設けられている。つまり、第１の縦柱８及び第２の縦柱１０は、乗場壁４から同一の距離に配置されている。このため、第１の縦柱８及び第２の縦柱１０の一方が他方よりも乗場壁４側に近い位置に設けられることがない。その結果、第１の縦柱８及び第２の縦柱１０の一方が乗場壁４と干渉して据付作業床装置１が設置不可能となる状況を回避することができる。
【００２２】
上述したとおり、本実施の形態では、第１の縦柱８の下端部が、第１の基礎固定金７の端部から第２の縦柱１０よりも離れた位置で固定されている。２本の第２の縦柱１０は、第２の横梁１１とともに門型枠を形成している。また、斜め支持梁１３の上端部は、門型枠を形成する第２の縦柱１０に固定されている。つまり、２本の斜め支持梁１３の間隔は、２本の第１の縦柱８の間隔よりも広くなっている。２本の斜め支持梁１３の間の空間及び２本の第１の縦柱８の間の空間は、作業員が梯子１４を使用して乗場３と上部固定作業床６とを移動する際の通路となる。このため、作業員が移動する際に、作業員の身体及び作業員により運搬される機器等の物体が斜め支持梁１３に接触する可能性を低くすることができる。その結果、作業員の安全性を向上し、エレベーターの据付作業を効率化することができる。
【符号の説明】
【００２３】
１  エレベーターの据付作業床装置、２  昇降路、３  乗場、４  乗場壁、５  開口部、６  上部固定作業床、７  第１の基礎固定金、８  第１の縦柱、９  第１の横梁、１０  第２の縦柱、１１  第２の横梁、１２  第２の基礎固定金、１３  斜め支持梁、１４  梯子、１５  斜材、１６  支持材
【図１】
0006024605.tif 000002
【図２】
0006024605.tif 000003
【図３】
0006024605.tif 000004
【図４】
0006024605.tif 000005
【図５】
0006024605.tif 000006